(57)【要約】【課題】組立工数および部品点数を減らして、コストを低減することができる遊技媒体用貯留装置を提供する。【解決手段】壁パネル６０は、樹脂材によりそれぞれ形成されていて、壁パネル６０の外壁側に検出センサ８０を支持するための支持手段６１を備え、支持手段６１は壁パネル６０と一体的に形成され、壁パネル６０の外壁側に支持された検出センサ８０によって、壁パネル６０を介して壁パネル６０の内壁側に貯留される遊技媒体を検出するようにした。【選択図】図１
2005137436.tif 000002
【特許請求の範囲】
【請求項１】
遊技に用いられる遊技媒体を貯留するための遊技媒体用貯留装置において、
前記遊技媒体が貯まる底部と、該底部の周縁から立設された周壁と、遊技媒体の材料となる金属に反応する検出センサとを備え、
前記周壁は、非金属材により形成され、
前記検出センサは、前記周壁の内壁側に貯留される遊技媒体を前記周壁の外壁側から検出するように配されていることを特徴とする遊技媒体用貯留装置。
【請求項２】
遊技に用いられる遊技媒体を貯留するための遊技媒体用貯留装置において、
前記遊技媒体が貯まる底部と、該底部の周縁から立設された周壁と、遊技媒体の材料となる金属に反応する検出センサとを備え、
前記周壁は、前記底部の周縁に沿うように並べられた複数個の壁パネルを備え、
前記壁パネルは、樹脂材によりそれぞれ形成され、
前記検出センサは、前記壁パネルの内壁側に貯留される遊技媒体を前記壁パネルの外壁側から検出するように配されていることを特徴とする遊技媒体用貯留装置。
【請求項３】
遊技に用いられる遊技媒体を貯留するための遊技媒体用貯留装置において、
前記遊技媒体が貯まる底部と、該底部の周縁から立設された周壁と、遊技媒体の材料となる金属に反応する検出センサとを備え、
前記周壁は、前記底部の周縁に沿うように並べられた複数個の壁パネルを備え、
前記壁パネルは、樹脂材によりそれぞれ形成され、前記壁パネルの外壁側に前記検出センサを支持するための支持手段を備え、
前記支持手段は、前記壁パネルと一体的に形成され、
前記検出センサは、前記壁パネルの内壁側に貯留される遊技媒体を前記壁パネルの外壁側から検出するように配されていることを特徴とする遊技媒体用貯留装置。
【請求項４】
前記支持手段は、前記壁パネルの外壁側に前記検出センサを脱落不能に係止するとともに、高さ方向に移動可能に案内するためのガイド部と、前記検出センサを所定の高さに保持するための位置決め部とを備えていることを特徴とする請求項３に記載の遊技媒体用貯留装置。
【請求項５】
前記壁パネルは、前記検出センサを嵌入するための嵌合凹部を備え、
前記検出センサは、前記ガイド部により案内される被案内フランジを備え、
前記被案内フランジは、可撓性を有する係合部を備え、
前記ガイド部は、前記被案内フランジを表裏方向から挟むようにして案内する表側ガイドと裏側ガイドとを備え、
前記表側ガイドは、前記検出センサが前記嵌合凹部に嵌入するのを許容するとともに、該嵌入した前記検出センサを脱落不能に係止し、
前記位置決め部は、前記裏側ガイドに前記高さ方向に沿って所定の間隔で配され、前記検出センサを高さ調節するときに前記検出センサの係合部が係脱するように凹設されていることを特徴とする請求項４に記載の遊技媒体用貯留装置。
【発明の詳細な説明】
【技術分野】
【０００１】
本発明は、遊技に用いられる遊技媒体を貯留するための遊技媒体用貯留装置に関する。
【背景技術】
【０００２】
従来の遊技媒体用貯留装置としては、パチンコ島台の下部空間の左右にはメインタンクがそれぞれ設置され、各メインタンクの上面が開放した直方体状に形成されるものである。左右のメインタンクにはメインタンク内のパチンコ玉を検出するための複数個の玉量センサが勝手違いにそれぞれ配されている。複数個の玉量センサは、メインタンクの正面壁に、縦方向ほぼ中央からやや上方の位置に横一列に設置されている。メインタンク内に送り込まれたパチンコ玉は、上流側、即ち、第１アウト玉回収樋側から貯留されていくため、メインタンク内のパチンコ玉は、最初に第１玉量センサに検出され、パチンコ玉の貯留量が増加するに従って、第２玉量センサ、第３玉量センサ、第４玉量センサ及び第５玉量センサの順でパチンコ玉が検出されることとなる（例えば、特許文献１参照。）。
【０００３】
【特許文献１】特開２００３−１１１９６５号公報
【発明の開示】
【発明が解決しようとする課題】
【０００４】
しかしながら、このような従来の遊技媒体用貯留装置では、メインタンクの正面壁および背面壁には共通部品が用いられ、共に玉量センサ用取付孔がそれぞれ穿設されており、背面壁には玉量センサが配されないから、背面壁の玉量センサ用取付孔を塞ぐためのカバー部材が必要になるとともに、カバー部材の組付工数が必要になる。また、正面壁には非金属製の固定部材によって玉量センサが固定されているから、固定部材を取り付けるための組付工数が必要になるとともに、部品点数が増えて、コストが嵩むという問題点があった。
【０００５】
本発明は、このような従来の問題点に着目してなされたもので、組立工数および部品点数を減らして、コストを低減することができる遊技媒体用貯留装置を提供することを目的としている。
【課題を解決するための手段】
【０００６】
かかる目的を達成するための本発明の要旨とするところは、次の各項の発明に存する。
［１］遊技に用いられる遊技媒体を貯留するための遊技媒体用貯留装置（２０）において、
前記遊技媒体が貯まる底部（３０）と、該底部（３０）の周縁から立設された周壁（５０）と、遊技媒体の材料となる金属に反応する検出センサ（８０）とを備え、
前記周壁（５０）は、非金属材により形成され、
前記検出センサ（８０）は、前記周壁（５０）の内壁側に貯留される遊技媒体を前記周壁（５０）の外壁側から検出するように配されていることを特徴とする遊技媒体用貯留装置（２０）。
【０００７】
［２］遊技に用いられる遊技媒体を貯留するための遊技媒体用貯留装置（２０）において、
前記遊技媒体が貯まる底部（３０）と、該底部（３０）の周縁から立設された周壁（５０）と、遊技媒体の材料となる金属に反応する検出センサ（８０）とを備え、
前記周壁（５０）は、前記底部（３０）の周縁に沿うように並べられた複数個の壁パネル（６０）を備え、
前記壁パネル（６０）は、樹脂材によりそれぞれ形成され、
前記検出センサ（８０）は、前記壁パネル（６０）の内壁側に貯留される遊技媒体を前記壁パネル（６０）の外壁側から検出するように配されていることを特徴とする遊技媒体用貯留装置（２０）。
【０００８】
［３］遊技に用いられる遊技媒体を貯留するための遊技媒体用貯留装置（２０）において、
前記遊技媒体が貯まる底部（３０）と、該底部（３０）の周縁から立設された周壁（５０）と、遊技媒体の材料となる金属に反応する検出センサ（８０）とを備え、
前記周壁（５０）は、前記底部（３０）の周縁に沿うように並べられた複数個の壁パネル（６０）を備え、
前記壁パネル（６０）は、樹脂材によりそれぞれ形成され、前記壁パネル（６０）の外壁側に前記検出センサ（８０）を支持するための支持手段（６１）を備え、
前記支持手段（６１）は、前記壁パネル（６０）と一体的に形成され、
前記検出センサ（８０）は、前記壁パネル（６０）の内壁側に貯留される遊技媒体を前記壁パネル（６０）の外壁側から検出するように配されていることを特徴とする遊技媒体用貯留装置（２０）。
【０００９】
［４］前記支持手段（６１）は、前記壁パネル（６０）の外壁側に前記検出センサ（８０）を脱落不能に係止するとともに、高さ方向に移動可能に案内するためのガイド部（６３）と、前記検出センサ（８０）を所定の高さに保持するための位置決め部（６６）とを備えていることを特徴とする［３］に記載の遊技媒体用貯留装置（２０）。
【００１０】
［５］前記壁パネル（６０）は、前記検出センサ（８０）を嵌入するための嵌合凹部（６２）を備え、
前記検出センサ（８０）は、前記ガイド部（６３）により案内される被案内フランジ（８２）を備え、
前記被案内フランジ（８２）は、可撓性を有する係合部（８３）を備え、
前記ガイド部（６３）は、前記被案内フランジ（８２）を表裏方向から挟むようにして案内する表側ガイド（６４）と裏側ガイド（６５）とを備え、
前記表側ガイド（６４）は、前記検出センサ（８０）が前記嵌合凹部（６２）に嵌入するのを許容するとともに、該嵌入した前記検出センサ（８０）を脱落不能に係止し、
前記位置決め部（６６）は、前記裏側ガイド（６５）に前記高さ方向に沿って所定の間隔で配され、前記検出センサ（８０）を高さ調節するときに前記検出センサ（８０）の係合部（８３）が係脱するように凹設されていることを特徴とする［４］に記載の遊技媒体用貯留装置（２０）。
【００１１】
次に、前記各項に記載された発明の作用について説明する。
［１］に記載された遊技媒体用貯留装置（２０）では、遊技媒体が貯まる底部（３０）と、底部（３０）の周縁から立設された周壁（５０）と、遊技媒体の材料となる金属に反応する検出センサ（８０）とを備え、周壁（５０）は、非金属材により形成され、検出センサ（８０）は、周壁（５０）の内壁側に貯留される遊技媒体を周壁（５０）の外壁側から検出するように配されている。周壁（５０）が非金属材であるから、検出センサ（８０）が周壁（５０）に反応せず、周壁（５０）の外壁側に配された検出センサ（８０）により、周壁（５０）の内壁側に貯留される遊技媒体を検出することができる。したがって、周壁（５０）に検出センサ（８０）用取付孔を開設する必要がないから、検出センサ（８０）用取付孔を塞ぐためのカバー部材が不要になるとともに、カバー部材を組み付けるための組付工数が不要になる。
【００１２】
例えば、周壁（５０）は、遊技媒体からの荷重に耐え得るように形成される材料であれば、どのような非金属材により形成されていてもよい。また、例えば、検出センサ（８０）は、金属センサであって、静電容量変化から遊技媒体と検出センサ（８０）との間の距離の変化を検知するものであり、静電容量変化をブリッジ回路で電圧信号に変換して出力するものである。
【００１３】
また、［２］に記載されているように、周壁（５０）は、底部（３０）の周縁に沿うように並べられた複数個の壁パネル（６０）を備え、壁パネル（６０）は、樹脂材によりそれぞれ形成され、検出センサ（８０）は、壁パネル（６０）の内壁側に貯留される遊技媒体を壁パネル（６０）の外壁側から検出するように配されている。壁パネル（６０）は、所定の長さに形成された後に、積み重ねられた状態で保存され、あるいは、積み重ねられた状態で搬送される。それにより、在庫スペースや積載スペースを減少させることができる。また、壁パネル（６０）は、所定の長さのものが大量に生産されるので、部品の生産性が高まる。
【００１４】
例えば、樹脂製の壁パネル（６０）は軽量化のためにその板厚を薄くして、剛性が低い箇所にリブを設けることで、遊技媒体からの荷重に耐え得るように形成されている。
【００１５】
さらに、［３］に記載されているように、壁パネル（６０）は、樹脂材によりそれぞれ形成され、検出センサ（８０）を支持するための支持手段（６１）を備え、支持手段（６１）は壁パネル（６０）と一体的に形成されている。それにより、検出センサ（８０）を支持するための新たな部品が不要になり、部品点数および組付工数を減少させることができる。
【００１６】
さらに、［４］に記載されているように、支持手段（６１）は、壁パネル（６０）の外壁側に検出センサ（８０）を脱落不能に係止するとともに、高さ方向に移動可能に案内するためのガイド部（６３）と、検出センサ（８０）を所定の高さに保持するための位置決め部（６６）とを備えている。それにより、検出センサ（８０）を壁パネル（６０）の外壁側に近づけると、ガイド部（６３）が検出センサ（８０）に係止して脱落を防止し、また、高さ方向に移動できるように案内する。検出センサ（８０）を高さ方向へ移動して所定の高さ位置にすると、位置決め部（６６）が検出センサ（８０）を保持して位置決めする。検出センサ（８０）の高さ位置調整を簡単に行うことができる。
【００１７】
さらに、［５］に記載されているように、壁パネル（６０）は、検出センサ（８０）を嵌入するための嵌合凹部（６２）を備え、検出センサ（８０）は、ガイド部（６３）により案内される被案内フランジ（８２）を備え、ガイド部（６３）は、被案内フランジ（８２）を表裏方向から挟むようにして案内する表側ガイド（６４）と裏側ガイド（６５）とを備えている。検出センサ（８０）を嵌合凹部（６２）に嵌入すると、表側ガイド（６４）は、検出センサ（８０）が嵌合凹部（６２）に嵌入するのを許容するとともに、嵌入した検出センサ（８０）を脱落不能に係止する。それにより、検出センサ（８０）の被案内フランジ（８２）が表側ガイド（６４）と裏側ガイド（６５）とに挟まれるようにして案内される。
【００１８】
また、被案内フランジ（８２）は、可撓性を有する係合部（８３）を備え、位置決め部（６６）は、裏側ガイド（６５）に前記高さ方向に沿って所定の間隔で配され、検出センサ（８０）を高さ調節するときに検出センサ（８０）の係合部（８３）が係脱するように凹設されている。検出センサ（８０）を高さ方向へ移動していくと、係合部（８３）が位置決め部（６６）に次々に係脱していく。検出センサ（８０）を所定の高さ位置に移動して、係合部（８３）が位置決め部（６６）に係合したときに、検出センサ（８０）の移動を止めると、その位置に検出センサ（８０）を保持することができる。
【発明の効果】
【００１９】
本発明に係る遊技媒体用貯留装置によれば、周壁を非金属材により形成することで、周壁の内壁側に貯留される遊技媒体を検出センサが周壁の外壁側から検出するようにしたので、したがって、周壁に検出センサ用取付孔を開設する必要がないから、勝手違いの遊技媒体用貯留装置を組み立てるときに、必要のない検出センサ用取付孔を塞ぐためのカバー部材が不要になるとともに、カバー部材の組付工数が不要になり、コストを低減することができる。
【００２０】
また、周壁は、底部の周縁に沿うように並べられた複数個の壁パネルを備え、壁パネルは、樹脂材によりそれぞれ形成され、検出センサは、壁パネルの内壁側に貯留される遊技媒体を壁パネルの外壁側から検出するように配されているので、壁パネルは、所定の長さに形成された後に、積み重ねられた状態で保存され、あるいは、積み重ねられた状態で搬送される。それにより、在庫スペースや積載スペースを減少させることができる。また、壁パネルは、所定の長さのものが大量に生産されるので、部品の生産性が高まる。
【００２１】
さらに、壁パネルは、樹脂材によりそれぞれ形成され、検出センサを支持するための支持手段を備え、支持手段は壁パネルと一体的に形成されているので、検出センサを支持するための新たな部品が不要になり、部品点数および組立工数を減少させることができ、コストを低減することができる。
【００２２】
さらに、支持手段は、壁パネルの外壁側に検出センサを脱落不能に係止するとともに、高さ方向に移動可能に案内するためのガイド部と、検出センサを所定の高さに保持するための位置決め部とを備えているので、検出センサの高さ位置調整を簡単に行うことができる。
【００２３】
さらに、壁パネルは、検出センサを嵌入するための嵌合凹部を備え、検出センサは、ガイド部により案内される被案内フランジを備え、ガイド部は、被案内フランジを表裏方向から挟むようにして案内する表側ガイドと裏側ガイドとを備えているので、検出センサを嵌合凹部に嵌入すると、検出センサの被案内フランジが表側ガイドと裏側ガイドとに挟まれるようにして案内され、また、被案内フランジは、可撓性を有する係合部を備え、位置決め部は、裏側ガイドに前記高さ方向に沿って所定の間隔で配され、検出センサを高さ調節するときに検出センサの係合部が係脱するように凹設されているので、検出センサの高さ調整時に、係合部が位置決め部に係合したときに、検出センサの移動を止めると、その位置に検出センサを保持することができ、検出センサの高さ位置調整を簡単かつ確実に行うことができる。
【発明を実施するための最良の形態】
【００２４】
以下、図面に基づき本発明の一実施の形態を説明する。各図は本発明の一実施の形態を示している。図２は遊技機島の一部を破断してその全体構成を示した正面図である。図２に示すように、遊技機島１０は、複数台のパチンコ機１１が並んで配設されており、本発明による遊技媒体用貯留装置２０が組み込まれている。遊技媒体用貯留装置２０は、遊技機島１０の下部左右に各々複数設置され、パチンコ機１１で使用された遊技球を貯留するものであり、遊技球が遊技機島１０の略中央下部に向かって流れ、略中央下部の正面側に位置する研磨揚送装置１５へ流出するようにしたものである。
【００２５】
遊技媒体用貯留装置２０内の遊技球が循環リフト１４から研磨揚送装置１５の導入部１５ａに供給され、研磨揚送装置１５により、遊技機島１０の上部に配設された上部タンク１６に揚送され、この上部タンク１６から左右の二つの供給樋１７を通って各パチンコ機１１および台間玉貸機１２に供給され、各パチンコ機１１から遊技媒体用貯留装置２０に送られ、また、上部タンク１６からオーバーフロー樋１８を通って遊技媒体用貯留装置２０に送られ、さらに、遊技機島１０の端部に配設された計数機１９から遊技球が遊技媒体用貯留装置２０に送られるよう構成されている。
【００２６】
遊技媒体用貯留装置２０は、その床面が玉排出部２１に向かってなだらかに下方に傾斜しており、遊技媒体用貯留装置２０内の遊技球が傾斜に従って玉排出部２１に向かって転がるように構成されている。玉排出部２１には、貯留されて積層した遊技媒体の中で床面側のものを積極的に玉排出部２１に導くための圧力板２２が配されている。循環リフト１４は、遊技媒体用貯留装置２０の床面を転動して玉排出部２１から排出される遊技球を取り込んで、遊技球を研磨揚送装置１５に引き渡すようになっている。研磨揚送装置１５は、遊技媒体用貯留装置２０から供給された遊技球を受けて、遊技球を磨きながら上方に向かって揚送するように、例えばベルトコンベアにより構成されている。
【００２７】
図１は遊技媒体用貯留装置の組立作業を説明する斜視図、図３は底部の前縁および後縁に支柱を起倒可能に支持した状態を示す斜視図、図４は底部に支持脚を起倒可能に支持した状態を示す斜視図である。図１〜図４に示すように、遊技媒体用貯留装置２０は、遊技媒体が貯まる底部３０と、底部３０の周縁から立設された周壁５０と、周壁５０を支持するための支柱７０とを備えている。
【００２８】
底部３０は、略矩形状に形成されていて、底部３０の両側縁３３より長い前縁３１および後縁３２を備えている。底部３０は、その底面を成す底面フレーム３４と、その床面を成すように並べられた複数個の床パネル４０とを備えている。各床パネル４０は、樹脂材により形成されている。また、底部３０の底面フレーム３４は、玉排出部２１に向かって下方に傾斜している。床パネル４０は、底面フレーム３４上に並べられ、遊技媒体が玉排出部２１に向かって流れるように配されている。
【００２９】
図１０は床パネルの正面図、図１１は床パネルを並べた状態を示す正面図である。図１０および図１１に示すように、床パネル４０の上流端４１および下流端４２には、薄肉状の重畳部４３、４４がそれぞれ形成されている。床パネル４０を並べた状態において、重畳部４３に上流側の床パネル４０の重畳部４４が上方から重ね合わされることで、床パネル４０の一般厚と同じ厚みになっている。
【００３０】
また、床パネル４０の上流端４１および下流端４２は、底面フレーム３４にネジ止めされている。下流側の床パネル４０の重畳部４３が何らかの要因で上方へ変形すると、それに伴い、上流側の床パネル４０の重畳部４４も上方へ変形することで、下流側の床パネル４０の上流端４１が、上流側の床パネル４０の下流端４２より高くならないで、遊技媒体の流れを妨げないように成っている。
【００３１】
図１に示すように、周壁５０は、底部３０の前縁３１および後縁３２の長さに応じた複数個（本実施の形態では５個）が底部３０の前縁３１および後縁３２に沿うように並べられた壁パネル６０と、底部３０の両側縁３３からそれぞれ立設された側壁５１とを備えている。各壁パネル６０は樹脂材により形成され、側壁５１は金属材により形成されている。さらに、各壁パネル６０は、底部３０の前縁３１および後縁３２からそれぞれ４本ずつ立設された支柱７０により、各壁パネル６０の両側部６０ａがそれぞれ支持されている。
【００３２】
４本の支柱７０の中の１つは、幅広に形成され、遊技媒体排出口７４が開設されている。底部３０の前縁３１および後縁３２には、支柱７０の下端部を嵌め込むことで、支柱７０を立設するための嵌合部材３５が固設されている。支柱７０は嵌合部材３５に嵌め込まれてネジ止めされている。これに限らず、図３に示すように、支柱７０を底部３０に組み付けるときの作業性を向上するために、幅狭に形成された３本の支柱７０を、底部３０の前縁３１および後縁３２に起倒可能に支持するようにしてもよい。
【００３３】
両側壁５１の各上端縁の両端部同士には上枠フレーム３６が架設されている。また、両側壁５１の各上端縁の中央部同士にはタンク樋３７が架設されている。タンク樋３７は、オーバーフロー樋１８から供給されて、タンク樋３７を流れる遊技媒体がタンク樋３７の側縁から底部３０へこぼれるように形成されている。
【００３４】
支柱７０の上端部には、上枠フレーム３６にネジ止めされる固定用片７１と、壁パネル６０の上端部を内側から支える内側支持用片７２とが形成されている。また、支柱７０の両側縁には、壁パネル６０を外側から支える外側支持用片７３が形成されている。
【００３５】
図４に示すように、底部３０の前縁３１および後縁３２には、支持脚３８が起倒可能に支持されている。支持脚３８は、倒伏位置に倒れた状態において底部３０の前縁３１および後縁３２より下方に出っ張らないか、出っ張っても少量に抑えられている。支持脚３８は、Ｈ形状に形成され、その下端部には高さ調整部材３９が設けられている。
【００３６】
図５は壁パネルの支持手段に検出センサが支持された状態を示す正面図、図６は支柱に支持された壁パネルに検出センサが支持された状態を示す平面図、図７は図６の一部を拡大して示した部分拡大図、図８は図７のVII−VII線で破断して支持手段を側方から見たときの支持手段の側面図、図９は壁パネルの正面図である。
【００３７】
図１および図５〜図９に示すように、本実施の形態に係る遊技媒体用貯留装置２０は、遊技媒体の材料となる金属に反応する検出センサ８０を備えている。壁パネル６０には、検出センサ８０を支持するための支持手段６１が設けられている。支持手段６１は、壁パネル６０と一体的に形成されている。検出センサ８０は、壁パネル６０の内壁側に貯留される遊技媒体を壁パネル６０の外壁側から検出するように配されている。
【００３８】
壁パネル６０の外壁側には、検出センサ８０を嵌入するための嵌合凹部６２が形成されている。各壁パネル６０には２つの嵌合凹部６２が設けられている。嵌合凹部６２の溝壁は、壁パネル６０の外壁側に設けられたリブ６２ａにより形成されている。支持手段６１は、嵌合凹部６２に嵌入した検出センサ８０を脱落不能に係止するとともに、高さ方向に移動可能に案内するためのガイド部６３と、検出センサ８０を所定の高さに保持するための位置決め部６６とを備えている。
【００３９】
検出センサ８０は、金属センサであって、静電容量変化から遊技媒体と検出センサ８０との間の距離の変化を検知するものであり、その本体８１と、本体８１の両側にあって、ガイド部６３により案内される被案内フランジ８２を備えている。被案内フランジ８２は、可撓性を有する係合部８３を備えている。
【００４０】
ガイド部６３は、被案内フランジ８２を表裏方向から挟むようにして案内する表側ガイド６４と裏側ガイド６５とを備えている。表側ガイド６４は、検出センサ８０が嵌合凹部６２に嵌入するのを許容するとともに、嵌入した検出センサ８０を脱落不能に係止するように形成されている。位置決め部６６は、裏側ガイド６５に高さ方向に沿って所定の間隔で配され、検出センサ８０を高さ調節するときに検出センサ８０の係合部８３が係脱するように凹設されている。
【００４１】
表側ガイド６４および裏側ガイド６５は、嵌合凹部６２の側壁６２ｂにそれぞれ形成されている。表側ガイド６４は、高さ方向に所定の間隔をおいて連設された７個の爪部６４ａを備えている。爪部６４ａは、嵌合凹部６２の側壁６２ｂから嵌合凹部６２の内方に凸設されている。また、爪部６４ａは、嵌合凹部６２の側壁６２ｂの最上位置に配され、嵌合凹部６２の側壁６２ｂを薄肉状に形成することで、検出センサ８０が嵌合凹部６２に嵌入するときに爪部６４ａが嵌合凹部６２の外方に変位し易いように成っている。
【００４２】
裏側ガイド６５は、上下方向に延ばされたレール部６５ａを備えている。裏側ガイド６５のレール部６５ａと表側ガイド６４の爪部６４ａとの間の隙間は、被案内フランジ８２の板厚と同じ幅に設定されている。裏側ガイド６５のレール部６５ａ上には、１９個の位置決め部６６が形成されている。また、レール部６５ａには、爪部６４ａに対応する位置に爪部６４ａを成形するための型抜き用の孔が形成されている。
【００４３】
検出センサ８０の被案内フランジ８２の上端および下端は、裏側ガイド６５のレール部６５ａと表側ガイド６４の爪部６４ａとの間の隙間に入り易いようにテーパ８２ｂが形成されている。被案内フランジ８２の上下方向の中央部には成形用孔８２ａが形成されている。検出センサ８０の係合部８３は、成形用孔８２ａの上縁または下縁の一方から他方の縁に向かって延ばされ、係合部８３の先端には位置決め部６６に係合する係合突起８３ａが形成されている。
【００４４】
次に、本実施の形態に係る遊技媒体用貯留装置をどのように組み立てるかについて主に説明する。遊技媒体用貯留装置２０の設置現場においてその組立作業は行われる。組立部品は設置現場まで以下のように搬送される。
【００４５】
底部３０の搬送は、予め支持脚３８を取り付けた状態で行われる。このとき、支持脚３８は、図４に示すように倒伏位置にあって、底部３０の前縁３１および後縁３２に沿うように倒れた状態にある。支持脚３８をこのように倒した状態にして、底部３０を積み重ねるようにすれば、嵩張らずに、積載スペースが広くならない。また、生産工場に置いておく場合にもその在庫スペースが広くならない。
【００４６】
また、底部３０の他の組立部品である、床パネル４０、側壁５１、壁パネル６０および支柱７０もそれぞれ積み重ねて置かれているので、在庫スペースが広くならない。また、積み重ねて搬送されるので、積載スペースが広くならない。
【００４７】
組立現場においては、図１（ａ）に示すように、支持脚３８を倒伏位置から起立位置に起こす。また、底部３０の底面フレーム３４上に７枚の床パネル４０を並べて床面フレーム３４に固定する。このとき、下流側の床パネル４０から上流側の床パネル４０の順番に並べ、図１１に示すように、下流側の床パネル４０の重畳部４４に上流側の床パネル４０の重畳部４３が上方から重なるようにする。それによって、下流側の床パネル４０と上流側の床パネル４０との境目において、何らかの原因で、下流側の床パネル４０が上方に変位あるいは変形しても、下流側の床パネル４０が上流側の床パネル４０より高くならないで、遊技媒体の流れを妨げないようにしている。
【００４８】
次に、底部３０の底面フレーム３４に圧力板２２を取り付ける。また、前後して、高さ調整部材３９により、底部３０が設置場所に安定して置かれるようにする。
【００４９】
次に、図１（ｂ）に示すように、底部３０の嵌合部材３５に支柱７０の下端部を嵌入し、支柱７０を固定する。これに限らず、図３に示すように、底部３０の前縁３１および後縁３２に支柱７０を起倒可能に支持しておき、在庫時および搬送時には支柱７０を倒伏しておいて、在庫スペースや積載スペースを広くならないようにし、組立時に支柱７０を倒伏位置から起立位置に起こし、支柱７０を起立位置に拘束するようにしてもよい。
【００５０】
次に、底部３０の側縁３３から側壁５１を立設する。次に、隣接する支柱７０の間の隙間に壁パネル６０を入れるようにする。このとき、支柱７０の内側支持用片７２と外側支持用片７３との間の隙間に差し込むようにする。それにより、隣接する支柱７０により壁パネル６０の両側部６０ａが支持されるようになる。
【００５１】
次に、図１（ｃ）に示すように、両側壁５１の間にタンク樋３７を架設するとともに、両側壁５１の上縁両端部同士に上枠フレーム３６を架設する。次に、上枠フレーム３６と各支柱７０の固定用片７１とをネジ止めする。それにより、壁パネル６０がより強固に支持される。
【００５２】
次に、壁パネルに検出センサをどのように組み付けるかについて主に説明する。検出センサ８０は、壁パネル６０の支持手段６１によって組み付けられる。予め、どの壁パネル６０のいずれの嵌合凹部６２に検出センサ８０を嵌め込むのかを決めておく。図５に示すように、同一の嵌合凹部６２に複数の検出センサ８０を嵌め込むようにしてもよい。
【００５３】
検出センサ８０を嵌合凹部６２に嵌め込むと、嵌合凹部６２の両側壁から内方へ突出した表側ガイド６４の爪部６４ａを検出センサ８０の被案内フランジ８２が、押し退けながら進み、被案内フランジ８２が裏側ガイド６５のレール部６５ａに当たると、前後して、爪部６４ａが復元して被案内フランジ８２に係止する。それにより、ガイド部６３の表側ガイド６４が、検出センサ８０の脱落を防止し、また、表側ガイド６４と裏側ガイド６５とにより、検出センサ８０を高さ方向に移動できるように案内する。
【００５４】
このように組み付けられた検出センサ８０は、樹脂製の壁パネル６０を介して、壁パネル６０の内側にあって、検出センサ８０の高さまで貯留された遊技媒体を確実に検出することができる。
【００５５】
以上により、遊技媒体用貯留装置２０の組立作業が完了する。壁パネル６０には、検出センサ８０を取り付けるための取付用孔が開設されていないので、その取付用孔を塞ぐための塞ぎ部材が不要であり、その塞ぎ部材を組み付ける必要もない。
【００５６】
次に、検出センサの高さ位置をどのように調整するかについて主に説明する。検出センサ８０を高さ方向へ移動して所定の高さ位置にすると、検出センサ８０の係合部８３の係合突起８３ａが各位置決め部６６に順次係脱していき、所定の高さで検出センサ８０の移動を停止すると、検出センサ８０の係合部８３の係合突起８３ａが所定の位置決め部６６に係合し、それにより、検出センサ８０が所定の高さ位置に保持される。
【００５７】
検出センサ８０を嵌合凹部６２から外すには、表側ガイド６４の爪部６４ａをその復元力に抗して嵌合凹部６２の外方へ変形させればよい。爪部６４ａは、嵌合凹部６２の薄肉状の側壁の上端部に形成されているので、簡単に変形させることができる。それにより、検出センサ８０の被案内フランジ８２を表側ガイド６４の爪部６４ａから簡単に外すことができる。
【００５８】
次に、図１２に示すように、底部３０の前縁３１および後縁３２の長さが短い異なる遊技媒体用貯留装置２０をどのように組み立てるかについて説明する。
【００５９】
前記実施の形態に係る遊技媒体用貯留装置２０と異なり、底部３０の前縁３１および後縁３２が短い遊技媒体用貯留装置２０においては、図１２（ａ）、（ｂ）に示すように、底部３０の前縁３１および後縁３２に３個の壁パネル６０を沿うように並べるようにする。また、底部３０の底面フレーム３４には４枚の床パネル４０を並べるようにする。この場合において、共通部品である床パネル４０、壁パネル６０および支柱７０をそれぞれ用いることができる。さらに、圧力板２２、側壁５１も共通部品のものを用いることができる。このように底部３０の前縁３１および後縁３２が短い遊技媒体用貯留装置２０において、その組立作業は、図１２（ａ）〜（ｂ）に示すように、前記実施の形態に係る遊技媒体用貯留装置２０と同様に行うことができる。
【００６０】
なお、前記実施の形態においては、底部３０が略矩形状に形成されているものを示したが、これに限らない。底部３０が多角形状に形成されていても、略円形に形成されていてもよい。この場合にも、底部３０の周縁に沿って同一種類の壁パネル６０を複数個並べることで周壁５０を形成すればよい。また、周壁５０の両側壁５１を金属材により形成したものを示したが、樹脂材により形成してもよい。
【００６１】
また、実施の形態において、検出センサ８０を樹脂材により壁パネル６０と一体的に形成された支持手段６１で支持したものを示したが、これに限らない。検出センサ８０は、非金属材で形成した周壁５０の外壁側に支持されていればよい。さらに、嵌合凹部６２に嵌入した検出センサ８０を支持手段６１が支持するものを示したが、周壁５０の外壁側に検出センサ８０を支持すればよい。
【図面の簡単な説明】
【００６２】
【図１】本発明の一実施の形態に係る遊技媒体用貯留装置の組立作業を説明する斜視図であり、（ａ）は、底部に床パネルを組み付けた状態の図、（ｂ）は底部に立設された支柱により壁パネルが支持された状態の図、（ｃ）は両側壁の間に樋部材を架設した状態の図である。
【図２】本発明の一実施の形態に係る遊技機島の一部を破断してその全体構成を示した正面図である。
【図３】本発明の一実施の形態に係る底部の周縁に支柱を起倒可能に支持した状態を示す斜視図である。
【図４】本発明の一実施の形態に係る底部に支持脚を起倒可能に支持した状態を示す斜視図である。
【図５】本発明の一実施の形態に係る壁パネルの支持手段に検出センサが支持された状態を示す正面図である。
【図６】本発明の一実施の形態に係る支柱に支持された壁パネルに検出センサが支持された状態を示す平面図である。
【図７】図６の一部を拡大して示した部分拡大図である。
【図８】図７のVII−VII線で破断して支持手段を側方から見たときの支持手段の側面図である。
【図９】本発明の一実施の形態に係る壁パネルの正面図である。
【図１０】本発明の一実施の形態に係る床パネルの正面図である。
【図１１】本発明の一実施の形態に係る床パネルを並べた状態を示す正面図である。
【図１２】本発明の他の実施の形態に係る遊技媒体用貯留装置の組立作業を説明する斜視図であり、（ａ）は、底部に床パネルを組み付けた状態の図、（ｂ）は底部の前縁および後縁に立設された支柱により壁パネルが支持された状態の図、（ｃ）は両側壁の間に樋部材を架設した状態の図である。
【符号の説明】
【００６３】
１０…遊技機島
１１…パチンコ機
１２…台間玉貸機
１４…循環リフト
１５…研磨揚送装置
１５ａ…導入部
１６…上部タンク
１７…供給樋
１８…オーバーフロー樋
１９…計数機
２０…遊技媒体用貯留装置
２１…玉排出部
２２…圧力板
３０…底部
３１…前縁
３２…後縁
３３…側縁
３４…底面フレーム
３５…嵌合部材
３６…上枠フレーム
３７…タンク樋
３８…支持脚
３９…高さ調整部材
４０…床パネル
４１…上流端
４２…下流端
４３、４４…重畳部
５０…周壁
５１…側壁
６０…壁パネル
６０ａ…両端部
６１…支持手段
６２…嵌合凹部
６２ａ…リブ
６２ｂ…側壁
６３…ガイド部
６４…表側ガイド
６４ａ…爪部
６５…裏側ガイド
６５ａ…レール部
６６…位置決め部
７０…支柱
７１…固定用片
７２…内側支持用片
７３…外側支持用片
７４…遊技媒体排出口
８０…検出センサ
８１…本体
８２…被案内フランジ
８２ａ…成形用孔
８３…係合部
８３ａ…係合突起
【図１】
2005137436.tif 000003
【図２】
2005137436.tif 000004
【図３】
2005137436.tif 000005
【図４】
2005137436.tif 000006
【図５】
2005137436.tif 000007
【図６】
2005137436.tif 000008
【図７】
2005137436.tif 000009
【図８】
2005137436.tif 000010
【図９】
2005137436.tif 000011
【図１０】
2005137436.tif 000012
【図１１】
2005137436.tif 000013
【図１２】
2005137436.tif 000014